(57)【特許請求の範囲】
【請求項１】
端末装置がネットワークを介したサーバ装置に画像メッセージを登録して送信相手先の端末装置を指定し、その登録した画像メッセージを元に前記サーバ装置が前記画像メッセージを再生するためのＷｅｂページを生成すると共に前記送信相手先の端末装置に前記ＷｅｂページをアクセスするためのＳＩＰプロトコルにしたがったＳＩＰショートメッセージを送信し、前記Ｗｅｂページに対して前記送信相手先の端末装置が自動的にアクセスすることにより、何れかの端末装置から発信された同一の画像メッセージをその送信相手先である複数の端末装置に伝達する画像メッセージ伝達システムであって、
前記端末装置は、
前記ＳＩＰショートメッセージを受信する受信手段と、
前記ＳＩＰショートメッセージに含まれるコマンド識別子を解析することにより、前記Ｗｅｂページをアクセスするためのメッセージであることを判別し、前記ＳＩＰショートメッセージに含まれるリンク情報を抽出し、その抽出されたリンク情報に基づいて前記サーバ装置へアクセスして前記画像メッセージを再生するためのＷｅｂページを表示するＷｅｂページ表示手段と、
前記Ｗｅｂページに含まれる前記画像メッセージを再生するためのリンク情報がユーザ操作によって指定された際に、このリンク情報に応じて画像メッセージの呼び出し要求を前記サーバ装置へ行い、前記サーバ装置から受信した画像メッセージを再生する画像メッセージ再生手段と、
を具備したことを特徴とする画像メッセージ伝達システム。
【請求項２】
複数の端末装置がネットワークを介して接続され、何れかの端末装置から発信された同一の画像メッセージをその送信相手先である一あるいは複数の端末装置に伝達する画像メッセージ伝達システムにおいて、
前記画像メッセージが前記何れかの端末装置から発信されたことにより送信されたＳＩＰプロトコルにしたがったＳＩＰショートメッセージを受信した前記送信相手先である端末装置は、
前記ＳＩＰショートメッセージに含まれるコマンド識別子により、Ｗｅｂページにアクセスするためのリンク情報が含まれることを判別し、当該ＳＩＰショートメッセージから抽出したリンク情報に基づいて当該画像メッセージを再生するためのＷｅｂページにアクセスし、前記画像メッセージを受信し再生する画像メッセージ受信再生手段を具備したことを特徴とする画像メッセージ伝達システム。
【請求項３】
前記画像メッセージ受信再生手段は、
利用者が前記画像メッセージの再生を要求する操作をした際に、当該画像メッセージを受信し再生することを特徴とする請求項２記載の画像メッセージ伝達システム。
【請求項４】
端末装置がネットワークを介したサーバ装置に画像メッセージを登録して送信相手先の端末装置を指定し、その登録した画像メッセージを元に前記サーバ装置が前記画像メッセージを再生するためのＷｅｂページを生成すると共に前記送信相手先の端末装置に前記ＷｅｂページをアクセスするためのＳＩＰプロトコルにしたがったＳＩＰショートメッセージを送信し、前記Ｗｅｂページに対して前記送信相手先の端末装置が自動的にアクセスすることにより、何れかの端末装置から発信された同一の画像メッセージをその送信相手先である複数の端末装置に伝達する画像メッセージ伝達システムにおいて、
前記端末装置のコンピュータを、
前記ＳＩＰショートメッセージを受信する受信手段、
前記ＳＩＰショートメッセージに含まれるコマンド識別子を解析することにより、前記Ｗｅｂページをアクセスするためのメッセージであることを判別し、前記ＳＩＰショートメッセージに含まれるリンク情報を抽出し、その抽出されたリンク情報に基づいて前記サーバ装置へアクセスして前記画像メッセージを再生するためのＷｅｂページを表示するＷｅｂページ表示手段、
前記Ｗｅｂページに含まれる前記画像メッセージを再生するためのリンク情報がユーザ操作によって指定された際に、このリンク情報に応じて画像メッセージの呼び出し要求を前記サーバ装置へ行い、前記サーバ装置から受信した画像メッセージを再生する画像メッセージ再生手段、
として機能させるためのプログラム。
【請求項５】
複数の端末装置がネットワークを介して接続され、何れかの端末装置から発信された同一の画像メッセージをその送信相手先である一あるいは複数の端末装置に伝達する画像メッセージ伝達システムにおいて、
前記画像メッセージが前記何れかの端末装置から発信されたことにより送信されたＳＩＰプロトコルにしたがったＳＩＰショートメッセージを受信した前記送信相手先である端末装置のコンピュータを、
前記ＳＩＰショートメッセージに含まれるコマンド識別子により、Ｗｅｂページにアクセスするためのリンク情報が含まれることを判別し、当該ＳＩＰショートメッセージから抽出したリンク情報に基づいて当該画像メッセージを再生するためのＷｅｂページにアクセスし、前記画像メッセージを受信し再生する画像メッセージ受信再生手段として機能させるためのプログラム。
【発明の詳細な説明】
【技術分野】
【０００１】
この発明は、複数の端末装置がネットワークを介して接続され、何れかの端末装置から発信された同一の音声及び画像メッセージをその送信相手先である複数の端末装置に伝達する音声・画像メッセージ伝達システム及びプログラムに関する。
【背景技術】
【０００２】
一般に、同一の音声及び画像メッセージを複数の相手先に一斉同報的に伝達する場合において、例えば、ビデオ会議システムのように複数の端末装置間で通話するためには、マルチポイントコントロールユニットを導入したり、広帯域回線の敷設など、システム環境を整備する必要があり、また、音声及び画像メッセージを伝達する手段として電子掲示板システムを利用することは、相手先が音声及び画像メッセージを何時取得するか分からず、緊急を要するメッセージの伝達には不向きであった。
【０００３】
また、従来では、同一のメッセージを複数の相手先に一斉同報的に伝達する場合におけるネットワーク上のトラフィック対策として、例えば、全国展開の各支店間を広域ネットワークで接続し、伝達情報を会社の部長、支店長、課長、係長の階層順に送信することで、発信者から第1の受信者(支店長)に伝達した後にあっては、広域ネットワークを経由せず、支店内での伝達に限られるため、トラフィック対策上有効であるとするネットワークシステムが知られている（特許文献１参照）。
【特許文献１】特開平１１−２７５１３５号公報
【発明の開示】
【発明が解決しようとする課題】
【０００４】
しかしながら、特許文献１の技術にあっては、トラフィック対策としては有効であるが、受信者側で下位メンバを示す階層テーブルを作成しながら次ぎの相手先に送信する過程において、回線の不具合などによって伝達が途中で停止してしまう危険があった。
このように従来においては、メッセージを複数の相手先に一斉同報的に伝達する場合、広帯域回線の敷設などのシステム環境を整備する必要があったり、伝達までのタイムラグが長くなってしまったり、伝達の途中で停止してしまう危険性があるなどの問題があった。
【０００５】
この発明の課題は、何れかの端末装置から発信された同一の画像メッセージをその送信相手先である複数の端末装置に伝達する場合に、画像メッセージを複数の相手先に対して確実かつ合理的に伝達できるようにすることである。
【課題を解決するための手段】
【０００６】
請求項１記載の発明は、端末装置がネットワークを介したサーバ装置に画像メッセージを登録して送信相手先の端末装置を指定し、その登録した画像メッセージを元に前記サーバ装置が前記画像メッセージを再生するためのＷｅｂページを生成すると共に前記送信相手先の端末装置に前記ＷｅｂページをアクセスするためのＳＩＰプロトコルにしたがったＳＩＰショートメッセージを送信し、前記Ｗｅｂページに対して前記送信相手先の端末装置が自動的にアクセスすることにより、何れかの端末装置から発信された同一の画像メッセージをその送信相手先である複数の端末装置に伝達する画像メッセージ伝達システムであって、前記端末装置は、前記ＳＩＰショートメッセージを受信する受信手段と、前記ＳＩＰショートメッセージに含まれるコマンド識別子を解析することにより、前記Ｗｅｂページをアクセスするためのメッセージであることを判別し、前記ＳＩＰショートメッセージに含まれるリンク情報を抽出し、その抽出されたリンク情報に基づいて前記サーバ装置へアクセスして前記画像メッセージを再生するためのＷｅｂページを表示するＷｅｂページ表示手段と、前記Ｗｅｂページに含まれる前記画像メッセージを再生するためのリンク情報がユーザ操作によって指定された際に、このリンク情報に応じて画像メッセージの呼び出し要求を前記サーバ装置へ行い、前記サーバ装置から受信した画像メッセージを再生する画像メッセージ再生手段と、を具備したことを特徴とする。
また、請求項２記載の発明は、複数の端末装置がネットワークを介して接続され、何れかの端末装置から発信された同一の画像メッセージをその送信相手先である一あるいは複数の端末装置に伝達する画像メッセージ伝達システムにおいて、前記画像メッセージが前記何れかの端末装置から発信されたことにより送信されたＳＩＰプロトコルにしたがったＳＩＰショートメッセージを受信した前記送信相手先である端末装置は、前記ＳＩＰショートメッセージに含まれるコマンド識別子により、Ｗｅｂページにアクセスするためのリンク情報が含まれることを判別し、当該ＳＩＰショートメッセージから抽出したリンク情報に基づいて当該画像メッセージを再生するためのＷｅｂページにアクセスし、前記画像メッセージを受信し再生する画像メッセージ受信再生手段を具備したことを特徴とする。
更に、コンピュータに対して、上述した請求項１および２記載の発明に示した主要機能を実現させるためのプログラムをそれぞれ提供する（請求項４および５記載の発明）。
ここで、画像メッセージは、動画メッセージに限らず、静止画メッセージあるいは動画と静止画が混在するメッセージであってもよい。
【０００７】
なお、請求項２記載の発明は次のようなものであってもよい。
前記画像メッセージ受信再生手段は、利用者が前記画像メッセージの再生を要求する操作をした際に、当該画像メッセージを受信し再生する（請求項３記載の発明）。
【発明の効果】
【００１６】
請求項１および２記載の発明によれば、端末装置は、ＳＩＰショートメッセージに含まれるコマンド識別子により、Ｗｅｂページにアクセスするためのリンク情報が含まれることを判別し、当該ＳＩＰショートメッセージからリンク情報を抽出し当該画像メッセージを再生するためのＷｅｂページにアクセスするようにしたので、送信相手先の端末装置のユーザは、何もしないでも確実に画像メッセージの受信を目で確認することができる。
【００１７】
また、画像メッセージを複数の相手先に一斉同報的に伝達する場合、画像メッセージの登録と画像メッセージの再生とを分離することができ、ネットワーク上のトラフィック量増加対策のための広帯域回線などの整備が不要となってコスト的に有利となるほかに、画像メッセージの登録から再生までのタイムラグを最小限にとどめることができ、さらには、伝達途中で伝達が停止するような事態も回避することができるなど、画像メッセージを複数の相手先に確実かつ合理的に伝達することが可能となり、実用効果の高いものとなる。
【００１８】
請求項３記載の発明によれば、上述した請求項２記載の発明と同様の効果を有する他、利用者が画像メッセージの再生を要求する操作をした際に、当該画像メッセージを受信し再生するようにしたので、利用者が端末を使用している際に確実にメッセージを伝達することができ、且つトラフィック量増加の集中をより分散でき、ＩＰネットワークを効率よく利用できる。
【発明を実施するための最良の形態】
【００２７】
以下、図１〜図１７を参照して本発明の実施例を説明する。
図１は、音声・画像メッセージ伝達システム（音声・動画メッセージ伝達システム）の全体構成の概要を示したブロック図である。
この音声・動画メッセージ伝達システムは、音声メッセージ及び動画メッセージを登録管理するサーバ装置１と、ＶｏＩＰ(Voice over Internet Protocol)ソフトフォン対応の複数台の端末装置２とがネットワーク(ＩＰネットワーク)３を介して接続されたシステム環境となっており、このサーバ装置１の管理下で、何れかの端末装置２から発信された同一の音声及び動画メッセージをその送信相手先である他の複数の端末装置２に対して伝達するようにしている。この場合、ネットワーク３は、会社構内に構築されたローカル・エリア・ネットワーク(ＬＡＮ：イントラネット)であってもよいが、複数のＬＡＮを接続した広域ネットワークであってもよい。なお、会社構内のＬＡＮとしては、構内に設置された複数のアクセスポイント４を有する無線ＬＡＮのほか、有線ＬＡＮであってもよい。また、サーバ装置１と端末装置２との間では、ＴＣＰ／ＩＰを利用したＨＴＴＰ(Hyper Text Transfer Protocol)によってデジタル化（パケット化）されたデータの送受信を行うようにしている。
【００２８】
図２は、サーバ装置１に搭載されているソフトウエアの構成を示した図である。
サーバ装置１には、オペレーティングシステム１１のほか、ＳＩＰ(Session Initiation Protocol)を用いてＩＰネットワーク上で音声・動画転送セッションを確立するＳＩＰ呼制御モジュール１２と、音声・動画転送セッションにより音声及び動画メッセージの送受信を行う音声・動画データ送受信モジュール１３が設けられている。そして、この実施例においては、何れかの端末装置２から発信された音声及び動画メッセージを音声・動画データ送受信モジュール１３によって受信した際に、この音声及び動画メッセージを録音・録画して音声及び動画メッセージファイルとして登録する音声・動画データ録音・録画・登録モジュール１４が設けられている。
【００２９】
更に、この実施例におけるサーバ装置１には、ＳＩＰ・ＵＲＩ管理モジュール１５と、Ｗｅｂページ作成モジュール１６と、ショートメッセージ通達モジュール１７と、Ｗｅｂサーバモジュール１８が設けられている。このＳＩＰ・ＵＲＩ管理モジュール１５は、複数の端末装置２に１対１に割り当てられているＳＩＰ・ＵＲＩ(Uniform Resource Identifier)をグループ毎に管理することによって音声及び動画メッセージの送信相手先となるグループに属する複数の端末装置２を特定するためのモジュールであり、Ｗｅｂページ作成モジュール１６は、何れかの端末装置２から送信されて来た音声及び動画メッセージをファイル化して登録した後、この音声及び動画メッセージファイルがリンクされている音声及び動画メッセージ公開用のＷｅｂページを作成するためのモジュールである。
【００３０】
ショートメッセージ通達モジュール１７は、音声及び動画メッセージ公開用Ｗｅｂページの作成完了後に、当該Ｗｅｂページを任意にアクセス可能なリンク情報としてメッセージ公開用ＷｅｂページのＵＲL(Uniform Resource Locator)を含むＳＩＰショートメッセージを作成すると共に、送信相手先として特定された複数の端末装置２に対して当該ＳＩＰショートメッセージを配信するためのモジュールである。なお、ショートメッセージとはテキストベースの短文形式のメッセージである(以下、同様)。Ｗｅｂサーバモジュール１８は、ＳＩＰショートメッセージを配信した端末装置２側からメッセージ公開用Ｗｅｂページの呼び出し要求を受けた際に、当該ＳＩＰショートメッセージ内のリンク情報に対応付けられているメッセージ公開用Ｗｅｂページを読み出して当該要求元の端末装置２に返信するためのモジュールである。また、サーバ装置１には、ＳＩＰ・ＵＲＩ管理データテーブルＤ１、音声及び動画メッセージファイルＤ２、公開Ｗｅｂページ格納フォルダＤ３が設けられている。
【００３１】
図３は、各端末装置２に搭載されているＶｏＩＰソフトフォンのモジュールの構成を示した図である。
各端末装置２には、オペレーティングシステム２１のほか、ＶｏＩＰソフトフォン２２が設けられている。このＶｏＩＰソフトフォン２２は、ＳＩＰを用いてＩＰネットワーク上で音声・動画転送セッションを確立するＳＩＰ呼制御モジュール２３と、音声・動画転送セッションにより音声及び動画メッセージの送受信を行う音声・動画データ送受信モジュール２４と、サーバ装置１から送信されて来たＳＩＰショートメッセージの内容を解析することによって音声及び動画メッセージファイルがリンクされているメッセージ公開用ＷｅｂページのＵＲLを自動抽出するショートメッセージ解析モジュール２５と、このショートメッセージ解析モジュール２５によって抽出されたＵＲLに基づいてサーバ装置１に対して音声及び動画メッセージ公開用Ｗｅｂページの呼び出し要求を行うアクセスするＷｅｂページアクセスモジュール２６とを有している。なお、この実施例においては、Ｗｅｂページアクセスモジュール２６をＶｏＩＰソフトフォン２２の中に組み入れた場合を示したが、端末装置２に内蔵されているブラウザを起動することによって音声及び動画メッセージ公開用Ｗｅｂページの呼び出し要求を行うようにしてもよい。
【００３２】
図４は、会社組織を階層的に表現した組織図であり、この例では、「営業部」の下位階層として、「営業１課」、「営業２課」、「営業３課」が存在し、各「営業課」には課長などの社員が存在していることを示している。
図５は、この組織図に対応するＳＩＰ・ＵＲＩ管理データテーブルＤ１の一部として、ユーザ(会社員)毎に割り当てられているＳＩＰ・ＵＲＩなどを記憶管理するユーザデータテーブルＤ１１を示している。
このユーザデータテーブルＤ１１は、ユーザ毎にその「氏名」、「役職名」、「ＳＩＰ・ＵＲＩ」、「端末ＩＤ」を記憶管理する構成となっている。図示の例では、「氏名」が“Ａａ”の社員は、「役職」が“部長”で、「ＳＩＰ・ＵＲＩ」が“ｓｉｐ：１９２．１６８．１．１１”であることを示している。なお、「端末ＩＤ」はユーザ認証などで使用される。
【００３３】
図６は、ＳＩＰ・ＵＲＩ管理データテーブルＤ１の一部として、グループ(部署、管理職)毎に割り当てられているＳＩＰ・ＵＲＩを記憶管理するグループデータテーブルＤ１２を示した図である。
このグループデータテーブルＤ１２は、グループ毎にその「グループ名」、「グループＳＩＰ・ＵＲＩ」を記憶管理する構成となっている。図示の例では、「グループ名」が“営業部”の「グループＳＩＰ・ＵＲＩ」は、“ｓｉｐ：１９２．１６８．１．１００”であることを示している。
【００３４】
図７は、ＳＩＰ・ＵＲＩ管理データテーブルＤ１の一部として、各ユーザとグループとの対応関係を管理するユーザ・グループ対応テーブルＤ１３を示した図である。
このユーザ・グループ対応テーブルＤ１３は、マトリックス状の表内に各ユーザの「氏名」と各グループの「グループ名」を配置した構成で、この表内に付された○印は、ユーザとグループとの対応関係を示している。すなわち、例えば、管理職のグループには、ユーザ「Ａａ」、「Ｂｂ」、「Ｄｄ」、「Ｇｇ」が対応付けられており、また、営業第１課のグループには、ユーザ「Ｂｂ」、「Ｃｃ」が対応付けられている。
【００３５】
図８は、ＳＩＰショートメッセージのデータ構造を示した図である。
ＳＩＰショートメッセージは、「コマンド識別子」、「通信アドレス」、「テキストデータ」、「付加情報」の各項目を有する構成となっている。ここで、「コマンド識別子」には、通常のテキストの場合には“０” がセットされ、音声及び動画メッセージ公開用ＷｅｂページのＵＲLを含んだテキストの場合には“１”がセットされる。このように「コマンド識別子」の内容に応じて音声及び動画メッセージ公開用ＷｅｂページのＵＲLの通知手段として、ＳＩＰショートメッセージを使用することができる。
【００３６】
図９は、サーバ装置１の基本的構成要素を示したブロック図である。
ＣＰＵ１０１は、記憶部１０２内のオペレーティングシステム、各種アプリケーションソフトに応じてこのサーバ装置１の全体動作を制御する中央演算処理装置である。記憶部１０２は、プログラム領域とデータ領域とを有し、磁気的メモリ、光学的メモリ、半導体メモリ等のほか、その駆動系を有する構成となっている。この記憶部１０２内のプログラム領域には、図２で示したオペレーティングシステム１１、ＳＩＰ呼制御モジュール１２、音声・動画データ送受信モジュール１３、音声・動画データ録音・録画・登録モジュール１４、ＳＩＰ・ＵＲＩ管理モジュール１５、Ｗｅｂページ作成モジュール１６、ショートメッセージ通達モジュール１７、Ｗｅｂサーバモジュール１８などが格納されている。なお、記憶部１０２は、ハードディスク等の固定メモリのほか、ＣＤ−ＲＯＭ、ＤＶＤ等の着脱自在な記憶媒体であってもよい。
【００３７】
この記憶部１０２内のプログラム、データは、必要に応じてＲＡＭ（例えば、スタティックＲＡＭ）１０３にロードされたり、このＲＡＭ１０３内のデータが記憶部１０２にセーブされる。なお、ＲＡＭ１０３は、プログラム実行領域と作業領域とを有している。ＣＰＵ１０１には、その入出力周辺デバイスである通信Ｉ／Ｆ(ＩＰネットワーク用の通信インターフェイス)１０４、キー入力部１０５、表示部１０６、外部記憶部１０７がバスラインを介して接続されており、入出力プログラムによってＣＰＵ１０１は、これらの入出力デバイスの動作制御を行う。キー入力部１０５は、キーボード、マウスなどのポインティングデバイスを有する構成で、文字列データ、各種コマンドの入力を行う。表示部１０６は、タッチパネル付きの液晶表示部などである。
【００３８】
図１０は、端末装置２の基本的構成要素を示したブロック図である。
この端末装置２は、ＶｏＩＰソフトフォン対応のＰＤＡ(Personal Digital Assistance)であり、上述したサーバ装置１の構成要素と基本的には同様に、ＣＰＵ２０１、記憶部２０２、ＲＡＭ２０３、通信Ｉ／Ｆ２０４、キー入力部２０５、表示部２０６、外部記憶部２０７を有するほか、この端末装置２には、電話機能を構成する音声マイク２０８及び音声スピーカ２０９及び動画撮影機能を構成するカメラ２０１が設けられている。なお、記憶部２０２には、上述したオペレーティングシステム２１、ＶｏＩＰソフトフォン２２、ＳＩＰ呼制御モジュール２３と、音声・動画データ送受信モジュール２４、ショートメッセージ解析モジュール２５、Ｗｅｂページアクセスモジュール２６などが格納されている。表示部２０６は、タッチパネル付きの液晶表示部などである。
【００３９】
次ぎに、この実施例における音声・動画メッセージ伝達システムの動作概念を図１１に示すタイムチャート及び図１３に示すフローチャートを参照して説明する。ここで、このタイムチャートあるいはフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００４０】
図１１は、何れかの端末装置２から発信された音声及び動画メッセージを複数の端末装置２に対して送信する音声・動画メッセージ伝達システムにおける動作手順を概念的に示したタイムチャートである。
なお、図中、(ＴＡ１)〜(ＴＡ２２)は、音声及び動画メッセージの発信元となる端末装置(発信元端末)２とサーバ装置１とメッセージの受信先となる端末装置(受信先端末)２との間において、発信元端末２から発信された同一の音声及び動画メッセージをサーバ装置１の制御下でその送信相手先である複数の受信先端末２に対して伝達する場合の動作順を示している。
【００４１】
先ず、音声及び動画メッセージの発信元(例えば、営業部長「Ａａ」)の端末装置(発信元端末)２は、その送信相手先としてグループＳＩＰ・ＵＲＩ(例えば、営業１課)を指定して発呼すると(ＴＡ１)、サーバ装置１側ではそのＳＩＰ呼制御モジュール１２により着呼検知が行われるほか(ＴＡ２)、送信相手先として指定されたグループＳＩＰ・ＵＲＩに基づいてグループデータテーブルＤ１２を検索し、正規なグループが送信相手先として指定されたか否かを判定する(ＴＡ３)。この場合、グループＳＩＰ・ＵＲＩ(営業１課)は、グループデータテーブルＤ１２に定義されているので、正規なグループである認識して音声・動画転送セクション(自動応答)を行う(ＴＡ４)。
【００４２】
発信元端末２側では、音声・動画転送セッションが確立された状態において、音声・動画データ送受信モジュール２４が起動され、伝達内容として入力された音声及び動画メッセージを録音・録画させるために入力された音声データ及び動画データをサーバ装置１に送信すると(ＴＡ５)、サーバ装置１側では、録音・録画・登録モジュール１４の起動によって入力された音声データ及び動画データの録音・録画を開始する(ＴＡ６)。ここで、発信元端末２側において伝達内容が全て入力された段階でオンフック操作(切断操作)が行われると、サーバ装置１側では、音声・動画転送セッションの完了(録音・録画完了)となる(ＴＡ７)。
【００４３】
そして、サーバ装置１は、ＳＩＰ呼制御モジュール１２による切断検知に応答し(ＴＡ８)、録音・録画された音声及び動画メッセージを読み出して音声ファイルとして音声及び動画メッセージファイルＤ２に登録する(ＴＡ９)。このようにして音声及び動画メッセージファイルを登録した後、サーバ装置１側では、Ｗｅｂページ作成モジュール１６が起動し、この音声及び動画メッセージファイルをリンクとする音声及び動画メッセージ公開用のＷｅｂページを作成し、Ｗｅｂサーバモジュール１８側の公開Ｗｅｂページ格納フォルダＤ３に登録・公開する(ＴＡ１０)。
【００４４】
図１２は、音声及び動画メッセージ公開用Ｗｅｂページを例示したもので、このメッセージ公開用Ｗｅｂページは、ＨＴＭＬ(Hyper Text Markup Language)文の中に音声及び動画メッセージファイルの所在場所を示すリンク情報を含めたもので、(Ａ)は、ＨＴＭＬ実行例、(Ｂ)はＨＴＭＬソース例を示している。なお、このメッセージ公開用Ｗｅｂページは、後述する図１３に示すフローチャートに応じて作成されたもので、そのタイトル部は、「営業１課への音声及び動画メッセージ」、また、ボディ部は、音声及び動画メッセージファイルのリンク情報「２００５／０１／２２  １５：２０  Ａａ部長からの音声及び動画メッセージ」となっている。ここで、タイトル内の「営業１課」は、発信元端末２からの受信データ(グループＳＩＰ・ＵＲＩ)に基づいてグループデータテーブルＤ１２を検索することによって得られたデータであり、リンク情報の「２００５／０１／２２  １５：２０  Ａａ部長」も発信元端末２からの受信データに基づいて得られたデータである。
【００４５】
図１３は、Ｗｅｂページ作成モジュール１６が実行する音声及び動画メッセージ公開用Ｗｅｂページの作成処理を示したフローチャートである。
先ず、ＨＴＭＬ開始宣言を生成して(ステップＳ１)、ヘッダ部を生成した後に(ステップＳ２)、発信元端末２からの受信データからタイトル用データを抽出して(ステップＳ３)、ＨＴＭＬタイトル部を生成すると共に(ステップＳ４)、この受信データから行タイトル用データを抽出して(ステップＳ５)、ＨＴＭＬ行タイトル部を生成する(ステップＳ６)。そして、ＨＴＭＬ行の終了かをチェックし(ステップＳ７)、最終行に達するまで受信データから行データを抽出しながら(ステップＳ８)、必要に応じて行データを索引テーブルから取得して(ステップＳ９)、ＨＴＭＬ行データを生成する処理(ステップＳ１０)を繰り返す。これによってＨＴＭＬファイルを作成し終わると、その終了宣言を生成した後(ステップＳ１１)、生成したＨＴＭＬファイルを公開場所に格納する(ステップＳ１２)。
【００４６】
このようにして音声及び動画メッセージ公開用Ｗｅｂページを登録・公開した後において、サーバ装置１側では、ＳＩＰ・ＵＲＩ管理モジュール１５を起動させ、発信元端末２からの受信データ(グループＳＩＰ・ＵＲＩ)に基づいてユーザ・グループ対応テーブルＤ１３を検索して当該グループ内に属するユーザＳＩＰ・ＵＲＩを取得する(ＴＡ１１)。いま、発信元である営業部長「Ａａ」から指定されたグループＳＩＰ・ＵＲＩが「営業１課」であれば、ユーザ「Ｂｂ」、「Ｃｃ」に対応付けられているユーザＳＩＰ・ＵＲＩをそれぞれ取得して音声及び動画メッセージの送信相手先として特定する。
【００４７】
また、グループＳＩＰ・ＵＲＩが「管理職」であれば、ユーザ「Ａａ」、「Ｂｂ」、「Ｄｄ」、「Ｇｇ」に対応付けられているユーザＳＩＰ・ＵＲＩをそれぞれ取得して音声及び動画メッセージの送信相手先として特定する。そして、ショートメッセージ通達モジュール１７が起動され、音声及び動画メッセージ公開用ＷｅｂページのＵＲＬをメッセージボディとするＳＩＰショートメッセージを作成した後(ＴＡ１２)、このＳＩＰショートメッセージを送信相手先として特定したユーザＳＩＰ・ＵＲＩ宛に一斉同報する(ＴＡ１３)。
【００４８】
ここで、受信先端末２側においては、そのＳＩＰ呼制御モジュール２３によってサーバ装置１からのＳＩＰショートメッセージの着呼を検知すると(ＴＡ１４)、ショートメッセージ解析モジュール２５が起動され、このＳＩＰショートメッセージの「コマンド識別子」を解析することによって通常のテキストか音声及び動画メッセージ公開用のＷｅｂページのＵＲＬを含むかを判別し、ＷｅｂページのＵＲＬを含むメッセージであれば、このＳＩＰショートメッセージの中に含まれている当該ＷｅｂページのＵＲＬを自動抽出する(ＴＡ１５)。次いで、Ｗｅｂページアクセスモジュール２６が起動され、抽出されたＵＲＬに基づいてサーバ装置１側に対してＷｅｂページの呼び出し要求が行われる(ＴＡ１６)。すると、サーバ装置１側では該当する音声及び動画メッセージ公開用Ｗｅｂページを検索して要求元の受信先端末２に返信する(ＴＡ１７)。
【００４９】
この場合、受信先端末２側では、サーバ装置１から送信されて来た音声及び動画メッセージ公開用Ｗｅｂページを受信取得してブラウザによって表示出力されている状態において(ＴＡ１８)、このＷｅｂページ画面に貼り付けられている音声及び動画メッセージ用のリンク情報がユーザ操作によってカーソル指定(クリック操作)されると、このＷｅｂページからリンク情報を抽出すると共に、このリンク情報に応じて音声及び動画メッセージファイルの呼び出し要求をサーバ装置１に対して行う(ＴＡ１９)。
【００５０】
ここで、サーバ装置１側においては、受信先端末２から音声及び動画メッセージファイルの呼び出し要求を受けると、該当する音声及び動画メッセージファイルを検索して要求元の端末に送信する(ＴＡ２０)。この場合、音声及び動画メッセージファイルのダウンロードは、ＨＴＴＰによる非ストリーミング転送となる。そして、受信先端末２側では、サーバ装置１から送信されて来た音声及び動画メッセージファイルを受信取得して(ＴＡ２１)、この音声及び動画メッセージの再生動作を開始する(ＴＡ２２)。なお、サーバ装置１側においては、ＳＩＰショートメッセージによって複数の相手先に一斉同報的に伝達した後、他の受信先端末２から音声及び動画メッセージファイルの呼び出し要求を受ける毎に、それに応答して音声及び動画メッセージファイルを要求元の端末に送信する動作が繰り返される。
【００５１】
以上のように、この実施例の音声及び動画メッセージ音声・動画メッセージ伝達システムにおいてサーバ装置１は、何れかの発信元端末２からの通話呼び出しに自動応答してその音声及び動画メッセージを録音・録画し、この音声及び動画メッセージを公開するためのＷｅｂページを作成して登録・公開すると共に、このＷｅｂページのＵＲＬを含むＳＩＰショートメッセージを作成し、発信元端末２からの情報に基づいて特定された複数の受信先端末２に対してＳＩＰショートメッセージを配信した後、この受信先端末２からＷｅｂページの呼び出し要求を受けた場合に、当該Ｗｅｂページをその要求元に送信するようにしたから、音声及び動画メッセージの発信が有った旨をＳＩＰショートメッセージによって複数の相手先に一斉同報的に伝達した後に、この相手先からの要求に応じて実際の音声及び動画メッセージを送信することができる。
【００５２】
したがって、音声及び動画メッセージを複数の相手先に一斉同報的に伝達する場合、音声及び動画メッセージの登録と音声及び動画メッセージの再生とを分離することができ、ＩＰネットワーク上のトラフィック対策のために広帯域回線などの整備が不用となってコスト的に有利となるほかに、音声及び動画メッセージの登録から再生までのタイムラグを最小限に留めることができ、更には、伝達途中で伝達が停止するような事態も回避することができるなど、音声及び動画メッセージを複数の相手先に確実かつ合理的に伝達することが可能となり、実用効果の高いものとなる。この場合、ＶｏＩＰソフトフォンを通常に使用する範疇で、発信者が意図する伝送タイミングで、最小のタイムラグをもって音声及び動画メッセージを送受信することができる。この場合、複数の端末装置による同時通話を回避することができ、通話による高トラフィックを防止することが可能となり、また、音声及び動画メッセージ公開用のＷｅｂページには、音声及び動画メッセージファイルを任意にアクセス可能なリンク情報が含まれているために音声及び動画メッセージの呼び出しは、必要に応じて何回でも自由に行うことができると共に、この音声及び動画メッセージの発信元及びその宛先を明示する情報が含まれているため、誰から伝達され、誰宛のメッセージかを確認することができる。
【００５３】
また、サーバ装置１は、各ユーザとグループとの対応関係が管理されている状態において、音声及び動画メッセージの発信元からの情報に基づいて当該発信元に対応付けられているグループに属する複数のユーザをＳＩＰショートメッセージの送信相手先として特定するようにしたから、音声及び動画メッセージの送信相手先をグループ別に特定することができる。ここで、ユーザとグループとの対応関係をどのように定義するかによって柔軟な対応が可能となり、複数のグループに亘って送信相手先を特定することもできる。また、サーバ装置１は、音声及び動画メッセージの登録時に音声及び動画メッセージの送信相手先として指定されたグループが正規なグループであるか否かを判別し、正規なグループであることを条件に音声及び動画メッセージを登録するようにしたから、関係者以外に音声及び動画メッセージが間違って伝達されることを防ぐことが可能となる。
【００５４】
なお、上述した実施例においてサーバ装置１は、発信元端末２からの発呼に自動応答して音声・動画転送セッションを確立し、発信元端末２から入力された音声及び動画メッセージを受信取得して録音・録画を開始した後、その切断検知に応答して当該録音・動画メッセージを登録するようにしたが、発信元端末２側で事前に録音・録画された音声及び動画メッセージファイルを受信取得して登録するようにしてもよい。
【００５５】
図１４は、発信元端末２側で事前に録音・録画された音声及び動画メッセージファイルを受信取得して登録する場合の動作手順を概念的に示したタイムチャートである。なお、図中、(ＴＢ１)〜(ＴＢ５)は、音声及び動画メッセージの発信元となる端末装置(発信元端末)２とサーバ装置１との間において、発信元端末２から発信された同一の音声及び動画メッセージを取得して登録するまでの動作手順を示している。
【００５６】
先ず、音声及び動画メッセージの発信元端末２側では、伝達内容を音声入力して音声及び動画メッセージファイルとして録音・録画した後において(ＴＢ１)、その送信相手先としてグループＳＩＰ・ＵＲＩ(例えば、営業１課)を指定して発呼すると(ＴＢ２)、サーバ装置１側ではそのＳＩＰ呼制御モジュール１２により着呼検知して音声・録画転送セクション(自動応答)を行う(ＴＢ３)。ここで、発信元端末２は、録音・録画済みの音声及び動画メッセージファイルを読み出し、ＨＴＴＰにてサーバ装置１に送信すると(ＴＢ４)、サーバ装置１は、受信した音声及び動画メッセージファイルを登録する(ＴＢ５)。以下、上述した実施例と同様に、この音声及び動画メッセージファイルをリンクとする音声及び動画メッセージ公開用のＷｅｂページを作成し、Ｗｅｂサーバモジュール１８側の公開Ｗｅｂページ格納フォルダＤ３に登録・公開すると共に、ＳＩＰショートメッセージを作成して送信相手先としての複数の受信先端末２に一斉同報する。
【００５７】
このようにサーバ装置１は、発信端末２側において事前に録音・録画された音声及び動画メッセージファイルを受信取得して登録するようにすれば、発信元端末２側で何回も録音・録画をやり直したとしても、正しく録音・録画された音声及び動画メッセージのみを登録することができ、通話時間の短縮化に有効なものとなるほか、話中状態による不都合も効果的に解消することができるなど、実用効果の高いものとなる。
なお、発信端末２側においては、音声及び動画メッセージファイルの録音・録画とＨＴＴＰ転送に代わって音声及び動画メッセージファイルの録音・録画とＦＴＰ(File Transfer Protocol)転送を行うようにしてもよい。
【００５８】
上述した実施例において、音声及び動画メッセージ公開用のＷｅｂページは、音声及び動画メッセージファイルを任意にアクセス可能なリンク情報を含めたが、このリンクのほかに、この音声及び動画メッセージの発信元端末２を通話呼び出しするための通信アドレス(ＳＩＰ・ＵＲＩ)を含めるようにしてもよい。この場合、サーバ装置１は、音声及び動画メッセージ公開用のＷｅｂページを作成する際に、この音声及び動画メッセージの登録時に受信取得した発信元のＳＩＰ・ＵＲＩをＷｅｂページに組み込むようにすればよい。
【００５９】
図１５は、音声及び動画メッセージファイルをアクセスするリンク情報のほかに、発信元のＳＩＰ・ＵＲＩを含む音声及び動画メッセージ公開用のＷｅｂページの実行例を示した図である。
このＷｅｂページには、リンク情報に続き、「連絡先はこちらまで」が含まれており、この項目内の“こちら”をクリックすると、発信元のＳＩＰ・ＵＲＩに基づいて発信元端末２に対する通話呼び出しが行われる。
【００６０】
このように音声及び動画メッセージ公開用のＷｅｂページ内に発信元のＳＩＰ・ＵＲＩを含めることによって、このＷｅｂページを受信した受信先端末２側では、この音声及び動画メッセージを再生して伝達内容を聞いた後に、必要に応じてその発信元との間での折り返し通話が可能となり、メッセージ内容を発信元に対して直接確認してその詳細を知ることができるなど、利便性と共に迅速対応が可能となる。
【００６１】
上述した実施例において、音声及び動画メッセージ公開用のＷｅｂページには、今回録音・録画登録した音声及び動画メッセージファイルをアクセスするリンク情報のみを含めるようにしたが、複数の音声及び動画メッセージを任意にアクセス可能なリンク情報として、当該複数のリンク情報を一覧形式で表すようにしてもよい。
図１６は、音声及び動画メッセージファイルを任意にアクセス可能な複数のリンク情報を含む音声及び動画メッセージ公開用Ｗｅｂページの実行例を示した図である。
【００６２】
このＷｅｂページには、今回録音・録画登録した音声及び動画メッセージファイルのリンク情報に続き、過去に録音・録画登録した音声及び動画メッセージファイルのリンク情報がその登録順に配列表示されている。すなわち、今回の音声及び動画メッセージ「発信者：Ａａ部長」に続き、過去の音声及び動画メッセージ「発信日：２００５／１／２１、発信者：Ｄｄ課長」、「発信日：２００５／１／２０、発信者：Ｄｄ課長」、「発信者：Ｋｋ」が一覧表示されている。このＷｅｂページを受信した受信先端末２側において、この一覧表示の中から任意のリンク情報がクリック指定されると、このリンク対応の音声及び動画メッセージファイルを読み出して送信するようにすれば、受信先端末２側においては自分宛に発信された過去の音声及び動画メッセージであっても自由に再生することができ、伝達内容に一連性がある場合には、その前後のメッセージ内容を比較することができるなど、実用効果の高いものとなる。
【００６３】
上述した実施例において、メッセージ公開用のＷｅｂページに音声メッセージファイルをアクセスするリンク情報を貼り付けた構成としたが、メッセージ公開用Ｗｅｂページのバックグランドサウンドとして音声メッセージを付加するようにしてもよい。
図１７は、メッセージ公開用Ｗｅｂページのバックグランドサウンドとして音声メッセージを付加した場合におけるＷｅｂページの実行例を示した図であり、このＷｅｂページ画面には、音声メッセージを再生中である旨のコメントが表示される。
【００６４】
このようにメッセージ公開用Ｗｅｂページのバックグランドサウンドとして音声メッセージを付加することによって受信先端末２においては、Ｗｅｂページ上で特別な操作を行うことなく、Ｗｅｂページの着信時に音声メッセージの自動再生が可能となると共に、音声メッセージの登録から再生までのタイムラグを更に縮めることが可能となる。
【００６５】
その他、受信先端末２側において、任意のタイミングで新着メッセージの確認要求をサーバ装置１に対して行うにしてもよい。すなわち、ユーザ操作あるいは電源ＯＮ時などのタイミングで新着メッセージの確認を行うようにすれば、ＳＩＰショートメッセージの受信失敗、電源ＯＦＦ時などの場合に有効なものとなる。
【００６６】
上述した実施例においては、画像メッセージとして動画メッセージを例示したが、静止画メッセージあるいは動画・静止画メッセージであってもよい。
また、各端末装置２をＶｏＩＰソフトフォン対応のＰＤＡとしたが、ＩＰソフトフォン対応のノート型のパーソナルコンピュータなどであってもよい。
また、サーバ装置１は、スタンドアロンタイプに限らず、その各構成要素が２以上の筐体に物理的に分離され、通信回線、ケーブル等の有線伝送路あるいは電波、マイクロウエーブ、赤外線等の無線伝送路を介してデータを送受信する分散型のシステムであってよい。
【００６７】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、何れかの端末装置からの通話呼び出しに自動応答してその音声及び画像メッセージを登録管理する機能と、この音声及び画像メッセージをアクセス可能なリンク情報を含むショートメッセージを作成する機能と、前記ショートメッセージの送信相手先となる複数の端末装置を前記音声及び画像メッセージの発信元からの情報に基づいて特定する機能と、特定された複数の端末装置に対して前記ショートメッセージを配信する機能と、前記ショートメッセージを配信した端末装置側から音声及び画像メッセージの呼び出し要求を受けた場合に、当該ショートメッセージ内のリンク情報に対応付けられている音声及び画像メッセージを読み出して当該要求元の端末装置に送信する機能とを実現させるためのプログラムを記録したコンピュータが読み取り可能な記録媒体を提供するようにしてもよい。
【図面の簡単な説明】
【００６８】
【図１】音声・動画メッセージ伝達システムの全体構成の概要を示したブロック図。
【図２】サーバ装置１に搭載されているソフトウエアの構成を示した図。
【図３】各端末装置２に搭載されているＶｏＩＰソフトフォンのモジュールの構成を示した図。
【図４】会社組織を階層的に表現した組織図。
【図５】組織図に対応するＳＩＰ・ＵＲＩ管理データテーブルＤ１の一部として、ユーザＳＩＰ・ＵＲＩを記憶管理するユーザデータテーブルＤ１１を示した図。
【図６】ＳＩＰ・ＵＲＩ管理データテーブルＤ１の一部として、グループＳＩＰ・ＵＲＩを記憶管理するグループデータテーブルＤ１２を示した図
【図７】ＳＩＰ・ＵＲＩ管理データテーブルＤ１の一部として、各ユーザとグループとの対応関係を管理するユーザ・グループ対応テーブルＤ１３を示した図。
【図８】ＳＩＰショートメッセージのデータ構造を示した図。
【図９】サーバ装置１の基本的構成要素を示したブロック図。
【図１０】端末装置２の基本的構成要素を示したブロック図。
【図１１】何れかの端末装置２から発信された同一の音声及び動画メッセージを複数の端末装置２に対して送信する音声・動画メッセージ伝達システムにおける動作手順を概念的に示したタイムチャート。
【図１２】音声及び動画メッセージ公開用Ｗｅｂページを例示したもので、(Ａ)は、ＨＴＭＬ実行例、(Ｂ)はＨＴＭＬソース例を示した図。
【図１３】Ｗｅｂページ作成モジュール１６が実行する音声及び動画メッセージ公開用Ｗｅｂページの作成処理を示したフローチャート。
【図１４】実施例の変形応用例として、発信元端末２側で事前に録音・録画された音声及び動画メッセージファイルを受信取得して登録する場合の動作手順を概念的に示したタイムチャート。
【図１５】実施例の変形応用例として、音声及び動画メッセージファイルをアクセスするリンク情報のほかに、発信元のＳＩＰ・ＵＲＩを含む音声及び動画メッセージ公開用のＷｅｂページの実行例を示した図。
【図１６】実施例の変形応用例として、音声及び動画メッセージファイルを任意にアクセス可能な複数のリンク情報を含む音声及び動画メッセージ公開用Ｗｅｂページの実行例を示した図。
【図１７】実施例の変形応用例として、メッセージ公開用Ｗｅｂページのバックグランドサウンドとして音声メッセージを付加した場合におけるＷｅｂページの実行例を示した図。
【符号の説明】
【００６９】
１  サーバ装置
２  端末装置
３  ネットワーク(ＩＰネットワーク)
１２、２３  ＳＩＰ呼制御モジュール
１３、２４  音声・動画データ送受信モジュール
１４  音声・動画データ録音・録画・登録モジュール
１５  ＳＩＰ・ＵＲＩ管理モジュール
１６  Ｗｅｂページ作成モジュール
１７  ショートメッセージ通達モジュール
１８  Ｗｅｂサーバモジュール
２２  ＶｏＩＰソフトフォン
２５  ショートメッセージ解析モジュール２５、
２６  Ｗｅｂページアクセスモジュール２６
１０１、２０１  ＣＰＵ
１０２、２０２  記憶部
１０４、２０４  通信Ｉ／Ｆ
２０５  キー入力部
２０６  表示部
２０８  音声マイク
２０９  音声スピーカ
Ｄ１  ＳＩＰ・ＵＲＩ管理データテーブル
【図１】
0004645418.tif 000002
【図２】
0004645418.tif 000003
【図３】
0004645418.tif 000004
【図４】
0004645418.tif 000005
【図５】
0004645418.tif 000006
【図６】
0004645418.tif 000007
【図７】
0004645418.tif 000008
【図８】
0004645418.tif 000009
【図９】
0004645418.tif 000010
【図１０】
0004645418.tif 000011
【図１１】
0004645418.tif 000012
【図１２】
0004645418.tif 000013
【図１３】
0004645418.tif 000014
【図１４】
0004645418.tif 000015
【図１５】
0004645418.tif 000016
【図１６】
0004645418.tif 000017
【図１７】
0004645418.tif 000018